(57)【要約】【課題】エンジンの冷却装置において、シリンダヘッドの気筒の排気ポート周辺の要冷却部における冷却液の部分沸騰を抑制しながら、エンジンの暖機を促進してエンジン燃費を向上させる。【解決手段】シリンダヘッド１２に、排気ポート１２ｂ周辺の要冷却部を指向してウォータジャケット１４と連通するノズル通路２２を形成する。冷却水回路に、メイン回路におけるシリンダヘッド１２のウォータジャケット１４の冷却水出口とラジエータ１５との間から分岐してノズル通路２２と連通するサブ通路１８を設ける。エンジン暖機中に、ＥＣＵ２３により、メイン回路におけるラジエータ１５とエンジン本体部１０の冷却水入口との間の冷却水の流通状態が流通停止状態になるように開閉弁２０を作動させるとともに、サブ通路１８において冷却水の流通状態が、順次、流通停止状態、第１流通状態、第２流通状態になるように電動ポンプ１９を作動させる。【選択図】図１
2010151067.tif 000002
【特許請求の範囲】
【請求項１】
エンジン本体部とラジエータとの間で冷却液を循環させるためのメイン回路を有する冷却液回路を備えているエンジンの冷却装置であって、
上記メイン回路は、上記エンジン本体部のシリンダヘッドに形成されたヘッド側ウォータジャケットを有しており、
上記ヘッド側ウォータジャケットには、該ヘッド側ウォータジャケットにおいて冷却液が少なくとも気筒列方向に流れるように冷却液の出入口が形成されており、
上記冷却液回路は、上記シリンダヘッドに上記気筒の排気ポート周辺の要冷却部を指向して上記ヘッド側ウォータジャケットと連通するように形成された冷却促進通路と、上記メイン回路における上記ヘッド側ウォータジャケットの冷却液出口と上記ラジエータとの間から分岐して上記冷却促進通路と連通するサブ通路とをさらに有しており、
上記メイン回路における上記ラジエータと上記エンジン本体部の冷却液入口との間には、上記メイン回路における上記ラジエータと上記エンジン本体部の冷却液入口との間の冷却液の流通状態を流通停止状態に変更可能な流通可変手段が配設されており、
上記冷却液回路における冷却液の流通状態を変更可能な電動ウォータポンプと、
エンジン暖機中に、上記メイン回路における上記ラジエータと上記エンジン本体部の冷却液入口との間において冷却液の流通状態が流通停止状態になるように上記流通可変手段を作動させるとともに、上記サブ通路において冷却液の流通状態が、順次、流通停止状態、第１流通状態、該第１流通状態よりも冷却液の流通量が多い第２流通状態になるように上記電動ウォータポンプを作動させる制御手段とをさらに備えていることを特徴とするエンジンの冷却装置。
【請求項２】
請求項１記載のエンジンの冷却装置において、
上記要冷却部は、上記気筒に並設された２つの排気ポートの間のバルブブリッジ部であることを特徴とするエンジンの冷却装置。
【請求項３】
請求項１又は２記載のエンジンの冷却装置において、
上記メイン回路における上記ヘッド側ウォータジャケットの冷却液出口と上記サブ通路との分岐部との間又は上記サブ通路には、上記エンジン本体部に供給されるオイルを冷却液と熱交換させるオイル熱交換器が配設されていることを特徴とするエンジンの冷却装置。
【請求項４】
請求項１〜３のいずれか１つに記載のエンジンの冷却装置において、
上記制御手段は、エンジン暖機完了後は、上記メイン回路における上記ラジエータと上記エンジン本体部の冷却液入口との間及び上記サブ通路において冷却液が流通するように上記流通可変手段及び上記電動ウォータポンプを作動させるように構成されていることを特徴とするエンジンの冷却装置。
【発明の詳細な説明】
【技術分野】
【０００１】
本発明は、エンジン本体部とラジエータとの間で冷却液を循環させるためのメイン回路を有する冷却液回路を備えているエンジンの冷却装置に関するものである。
【背景技術】
【０００２】
従来より一般に、水冷式エンジンの冷却装置においてはクランクシャフトにより機械的にウォータポンプを駆動して、冷却液をシリンダブロックやシリンダヘッドのウォータジャケットに流通させ、さらに、ラジエータとの間で循環させるようにしている。また、そのエンジン本体部とラジエータとの間の冷却液の流路にはサーモスタットが配設されていて、エンジン始動後の冷機時にはラジエータとの間の冷却液の流れを遮断する一方、ラジエータを迂回して冷却液をエンジン本体部に循環させることにより、エンジン本体部の暖機を促進するようになっている。
【０００３】
そのように機械式ポンプとサーモスタットとを組み合わせたものでは、エンジンの運転中はクランクシャフトの回転とともにウォータポンプが作動して特にシリンダヘッド内で冷却液が積極的に流動することから、エンジンの放熱量が多くなって、暖機が遅れることになり、冷機時の燃費の悪化を十分に抑制できないという問題があった。
【０００４】
そこで、機械式ポンプの代わりに電動式のウォータポンプを用いて、エンジンの運転状態に関係なく、ウォータジャケットにおける冷却液の流通状態を変更できるようにすることが提案されている（例えば特許文献１を参照）。この提案のものではエンジン本体部とラジエータとの間に電動ポンプを配設し、エンジン冷機時にはそのポンプを作動させないことによって、ラジエータとの間の冷却液の循環を停止するとともに、ウォータジャケットにおける冷却液の流通自体も停止させるようにしている。
【特許文献１】特開２００２−１６１７４８号公報
【発明の開示】
【発明が解決しようとする課題】
【０００５】
しかしながら、上記提案のようにエンジン冷機時にウォータジャケットの冷却液の流れを停止させるようにすると、その結果としてシリンダヘッドの排気ポート周辺において局所的に水温が上昇し、冷却液の部分沸騰が発生する虞れがある。
【０００６】
そして、そのような不具合の発生を防止しようとすれば、冷却液の温度があまり高くならないうちに電動ポンプを作動させて、冷却液を流通させるようにしなくてはならないから、電動ポンプを用いても結局はエンジンの暖機を十分に促進できるものとはいえず、エンジン冷機時の燃費について改善の余地が残るものであった。
【０００７】
本発明は、かかる点に鑑みてなされたものであり、その目的とするところは、エンジン本体部とラジエータとの間で冷却液を循環させるためのメイン回路を有する冷却液回路を備えているエンジンの冷却装置において、シリンダヘッドの気筒の排気ポート周辺の要冷却部における冷却液の部分沸騰を抑制しながら、エンジンの暖機を促進してエンジン燃費を向上させることにある。
【課題を解決するための手段】
【０００８】
第１の発明は、エンジン本体部とラジエータとの間で冷却液を循環させるためのメイン回路を有する冷却液回路を備えているエンジンの冷却装置であって、上記メイン回路は、上記エンジン本体部のシリンダヘッドに形成されたヘッド側ウォータジャケットを有しており、上記ヘッド側ウォータジャケットには、該ヘッド側ウォータジャケットにおいて冷却液が少なくとも気筒列方向に流れるように冷却液の出入口が形成されており、上記冷却液回路は、上記シリンダヘッドに上記気筒の排気ポート周辺の要冷却部を指向して上記ヘッド側ウォータジャケットと連通するように形成された冷却促進通路と、上記メイン回路における上記ヘッド側ウォータジャケットの冷却液出口と上記ラジエータとの間から分岐して上記冷却促進通路と連通するサブ通路とをさらに有しており、上記メイン回路における上記ラジエータと上記エンジン本体部の冷却液入口との間には、上記メイン回路における上記ラジエータと上記エンジン本体部の冷却液入口との間の冷却液の流通状態を流通停止状態に変更可能な流通可変手段が配設されており、上記冷却液回路における冷却液の流通状態を変更可能な電動ウォータポンプと、エンジン暖機中に、上記メイン回路における上記ラジエータと上記エンジン本体部の冷却液入口との間において冷却液の流通状態が流通停止状態になるように上記流通可変手段を作動させるとともに、上記サブ通路において冷却液の流通状態が、順次、流通停止状態、第１流通状態、該第１流通状態よりも冷却液の流通量が多い第２流通状態になるように上記電動ウォータポンプを作動させる制御手段とをさらに備えていることを特徴とするものである。
【０００９】
これにより、冷却促進通路が気筒の排気ポート周辺の要冷却部を指向しているので、エンジン暖機中に、制御手段により、サブ通路において冷却液の流通状態が、順次、流通停止状態、第１流通状態、この第１流通状態よりも冷却液の流通量が多い第２流通状態になるように電動ウォータポンプを作動させると、サブ通路を介して冷却促進通路から流出した冷却液がヘッド側ウォータジャケットの要冷却部に向かって集中的に流入し、この冷却液によって要冷却部が冷却される。このため、要冷却部における冷却液の部分沸騰を抑制することができる。
【００１０】
また、エンジン暖機中に、制御手段により、サブ通路において冷却液の流通状態が、順次、流通停止状態、第１流通状態、この第１流通状態よりも冷却液の流通量が多い第２流通状態になるように電動ウォータポンプを作動させる。このようにして、エンジン暖機中に、所定期間、ヘッド側ウォータジャケットにおける冷却液の流通を停止に近い状態にすることにより、エンジンの暖機を促進することができる。
【００１１】
さらに、エンジン暖機中に、制御手段により、メイン回路におけるラジエータとエンジン本体部の冷却液入口との間において冷却液の流通状態が流通停止状態になるように流通可変手段を作動させるので、エンジン暖機中に、エンジン本体部内の冷却液通路におけるヘッド側ウォータジャケットにおいてその冷却液入口から出口への冷却液の新たな流通を停止に近い状態にすることができる。このため、エンジンの暖機をより一層促進することができる。
【００１２】
以上により、シリンダヘッドの気筒の排気ポート周辺の要冷却部における冷却液の部分沸騰を抑制しながら、エンジンの暖機を促進してエンジン燃費を向上させることができる。
【００１３】
第２の発明は、上記第１の発明において、上記要冷却部は、上記気筒に並設された２つの排気ポートの間のバルブブリッジ部であることを特徴とするものである。
【００１４】
ところで、気筒に並設された２つの排気ポートの間のバルブブリッジ部は、ヘッド側ウォータジャケットにおける冷却液の気筒列方向の流通だけでは冷却しにくく、このことによって、バルブブリッジ部において冷却液が部分沸騰しやすい。
【００１５】
ここで、本発明によれば、冷却促進通路がバルブブリッジ部を指向しているので、エンジン暖機中に、制御手段により、サブ通路において冷却液の流通状態が、順次、流通停止状態、第１流通状態、この第１流通状態よりも冷却液の流通量が多い第２流通状態になるように電動ウォータポンプを作動させると、サブ通路を介して冷却促進通路から流出した冷却液がバルブブリッジ部に向かって集中的に流入し、この冷却液によってバルブブリッジ部が冷却される。このため、バルブブリッジ部における冷却液の部分沸騰を抑制することができる。
【００１６】
第３の発明は、上記第１又は２の発明において、上記メイン回路における上記ヘッド側ウォータジャケットの冷却液出口と上記サブ通路との分岐部との間又は上記サブ通路には、上記エンジン本体部に供給されるオイルを冷却液と熱交換させるオイル熱交換器が配設されていることを特徴とするものである。
【００１７】
これにより、メイン回路におけるヘッド側ウォータジャケットの冷却液出口とサブ通路との分岐部との間又はサブ通路に、エンジン本体部に供給されるオイルを冷却液と熱交換させるオイル熱交換器を配設しているので、エンジン暖機中に、オイル熱交換器においてオイルが比較的高温の冷却液と熱交換することにより、オイルは加熱されてその温度が上昇する。このため、エンジンの機械抵抗を低くすることができ、エンジン燃費をより一層向上させることができる。
【００１８】
第４の発明は、上記第１〜３のいずれか１つの発明において、上記制御手段は、エンジン暖機完了後は、上記メイン回路における上記ラジエータと上記エンジン本体部の冷却液入口との間及び上記サブ通路において冷却液が流通するように上記流通可変手段及び上記電動ウォータポンプを作動させるように構成されていることを特徴とするものである。
【００１９】
これにより、エンジン暖機完了後に、制御手段により、メイン回路におけるラジエータとエンジン本体部の冷却液入口との間及びサブ通路において冷却液が流通するように流通可変手段及び電動ウォータポンプを作動させるので、冷却促進通路を流通した比較的高温の冷却液がヘッド側ウォータジャケットの排気側に流入するとともに、ラジエータを流通した比較的低温の冷却液がヘッド側ウォータジャケットに流入する。このため、エンジン暖機完了後は、ヘッド側ウォータジャケットの吸気側をその排気側に比べて低温の冷却液が流通し、この低温の冷却液によって吸気ポート壁が冷却される。よって、充填効率を向上させることができ、トルクを向上させることができる。
【発明の効果】
【００２０】
本発明によれば、冷却促進通路が気筒の排気ポート周辺の要冷却部を指向しているので、エンジン暖機中に、制御手段により、サブ通路において冷却液の流通状態が、順次、流通停止状態、第１流通状態、この第１流通状態よりも冷却液の流通量が多い第２流通状態になるように電動ウォータポンプを作動させると、サブ通路を介して冷却促進通路から流出した冷却液がヘッド側ウォータジャケットの要冷却部に向かって集中的に流入し、この冷却液によって要冷却部が冷却される。このため、要冷却部における冷却液の部分沸騰を抑制することができる。また、エンジン暖機中に、制御手段により、サブ通路において冷却液の流通状態が、順次、流通停止状態、第１流通状態、この第１流通状態よりも冷却液の流通量が多い第２流通状態になるように電動ウォータポンプを作動させる。このようにして、エンジン暖機中に、所定期間、ヘッド側ウォータジャケットにおける冷却液の流通を停止に近い状態にすることにより、エンジンの暖機を促進することができる。さらに、エンジン暖機中に、制御手段により、メイン回路におけるラジエータとエンジン本体部の冷却液入口との間において冷却液の流通状態が流通停止状態になるように流通可変手段を作動させるので、エンジン暖機中に、エンジン本体部内の冷却液通路におけるヘッド側ウォータジャケット以外の部分（例えばシリンダブロックのウォータジャケット）において冷却液の流通を停止に近い状態にすることができる。このため、エンジンの暖機をより一層促進することができる。以上により、シリンダヘッドの気筒の排気ポート周辺の要冷却部における冷却液の部分沸騰を抑制しながら、エンジンの暖機を促進してエンジン燃費を向上させることができる。
【発明を実施するための最良の形態】
【００２１】
以下、本発明の実施形態を図面に基づいて詳細に説明する。
【００２２】
（実施形態１）
−エンジン冷却装置の構成−
図１は、本発明の実施形態１に係るエンジン冷却装置Ａの構成を模式的に示し、図２は、シリンダヘッドをその上下方向と直角をなす平面に沿って切った断面を示す。このエンジン冷却装置Ａは、エンジン（例えば直接噴射式の直列４気筒４バルブエンジン）の本体部１０を構成するシリンダブロック１１及びシリンダヘッド１２にそれぞれ形成されたウォータジャケット１３，１４と、外気によって冷却水（冷却液）を冷やすために車両の前部等に配設されたラジエータ１５と、このラジエータ１５及びエンジン本体部１０の間で冷却水を循環させるための第１及び第２通路１６，１７と、ラジエータ１５を迂回してシリンダヘッド１２のウォータジャケット１４との間で冷却水を循環させるためのサブ通路１８と、シリンダブロック１１のウォータジャケット１３やシリンダヘッド１２のウォータジャケット１４に冷却水を送給するための電動ウォータポンプ（以下、単に電動ポンプという）１９と、第２通路１７における冷却水の流通状態を変更可能な開閉弁２０とを備えている。尚、シリンダブロック１１のウォータジャケット１３、シリンダヘッド１２のウォータジャケット１４、並びに第１及び第２通路１６，１７がメイン回路を、サブ通路１８、後述のタンク通路２１、後述のノズル通路２２、ウォータジャケット１４、及び第１通路１６がサブ回路を、メイン回路及びサブ回路が冷却水回路（冷却液回路）を構成している。
【００２３】
シリンダブロック１１のウォータジャケット１３は、４つのシリンダ（図示せず）の外周を囲むようにしてシリンダブロック１１の長手方向（シリンダ（気筒）列方向であり、以下、エンジン前後方向ともいう）全体に亘って形成され、その前端部に形成された冷却水入口が第２通路１７の下流端部に連通している。
【００２４】
また、シリンダブロック１１のウォータジャケット１３は、シリンダブロック１１のトップデッキに形成された複数の孔部（図示せず）と、シリンダヘッド１２のボトムデッキに形成された複数の孔部とを介して、シリンダヘッド１２のウォータジャケット１４にも連通しており、これにより、上記のようにシリンダブロック１１のウォータジャケット１３を流れる冷却水は、順次、シリンダヘッド１２のウォータジャケット１４に流通するようになっている。
【００２５】
シリンダヘッド１２のウォータジャケット１４（ヘッド側ウォータジャケット）は、各シリンダの吸排気ポート１２ａ，１２ｂやプラグホール１２ｃの外周を包み込むようにしてシリンダヘッド１２の長手方向全体に亘って形成されている。ウォータジャケット１４における各シリンダに並設された２つの排気ポート１２ｂ，１２ｂの間の冷却水の流れは、両排気ポート１２ｂ，１２ｂの間隔が狭いため、淀みやすい。
【００２６】
シリンダヘッド１２のウォータジャケット１４は、ウォータジャケット１４において冷却水が少なくともシリンダ列方向に流れるように、その前端部に冷却水入口１４ａが、その後端部に冷却水出口（図示せず）が形成され、その冷却水出口が第１通路１６の上流端部に連通している。これにより、シリンダヘッド１２のウォータジャケット１４を流通した比較的高温の冷却水は、第１通路１６に流出するようになる。
【００２７】
シリンダヘッド１２におけるエンジン幅方向の排気側の端部には、各燃焼室（図示せず）の頂壁部のエンジン幅方向外側にタンク通路２１が気筒列方向に延びるように形成されている。
【００２８】
シリンダヘッド１２には、シリンダの両排気ポート１２ｂ，１２ｂの間のバルブブリッジ部１２ｄ（要冷却部）を指向するノズル通路２２（冷却促進通路）がエンジン幅方向外側から内側に延びるように各シリンダ毎に形成されている。各ノズル通路２２の上流端部は、タンク通路２１と連通している一方、その下流端部は、シリンダヘッド１２のウォータジャケット１４と連通している。各バルブブリッジ部１２ｄは、各燃焼室の頂壁部を構成しており、両排気ポート１２ｂ，１２ｂの間に位置するため、温度上昇しやすい。
【００２９】
尚、図２中の１２ｅは、シリンダヘッド１２の吸気側に形成された、燃料を直接燃焼室に噴射するためのインジェクタ（図示せず）が装着される装着孔である。
【００３０】
また、第１通路１６の下流端部はラジエータ１５のアッパタンクに接続されており、第１通路１６内を流通した比較的高温の冷却水は、ラジエータ１５において外気と熱交換して冷却された後に、ラジエータ１５のロワタンクに接続されている第２通路１７に流出する。
【００３１】
サブ通路１８は、第１通路１６におけるエンジン本体部１０の冷却水出口（シリンダヘッド１２のウォータジャケット１４の冷却水出口）とラジエータ１５との間から分岐している。サブ通路１８の下流端部は、タンク通路２１の冷却水入口２１ａに連通している。
【００３２】
電動ポンプ１９は、第１通路１６におけるエンジン本体部１０の冷却水出口とサブ通路１８との分岐部との間に配設されていて、例えばインペラの回転によって冷却水を送り出す従来周知の遠心式のものであり、そのインペラのシャフトに接続された電動モータの作動が、制御手段としてのエンジンコントロールユニット２３（以下、ＥＣＵという）のポンプ制御部２３ａによって制御されるようになっている。言い換えると、電動ポンプ１９は、ＥＣＵ２３のポンプ制御部２３ａによりその作動状態を制御され、エンジン本体部１０との間で冷却水を循環させるための冷却水回路における冷却水の流通状態を変更可能な電動ウォータポンプを構成している。
【００３３】
開閉弁２０は、第２通路１７（メイン回路におけるラジエータ１５とエンジン本体部１０の冷却水入口（シリンダブロック１１のウォータジャケット１３の冷却水入口）との間）に配設されていて、例えば従来周知のものであり、その作動が、ＥＣＵ２３の開閉弁制御部２３ｂによって制御されるようになっている。言い換えると、開閉弁２０は、ＥＣＵ２３の開閉弁制御部２３ｂによりその作動状態を制御され、メイン回路におけるラジエータ１５とエンジン本体部１０の冷却水入口との間の冷却水の流通状態を流通停止状態に変更可能な流通可変手段を構成している。
【００３４】
ＥＣＵ２３は、周知の如くＣＰＵやメモリ、Ｉ／Ｏインターフェース回路、ドライバ回路等を備えて、エンジンの運転制御のために各シリンダ毎の燃料噴射制御や点火時期制御を行うものであるが、これに加えて、この実施形態では、主にエンジンの温度や負荷状態、回転数等に応じて、電動ポンプ１９や開閉弁２０の作動を制御するようになっている。
【００３５】
すなわち、この実施形態では、ＥＣＵ２３は、少なくとも、エンジンの負荷状態を検出するためのセンサ２４（例えば車両のアクセル開度センサやエアフローセンサ等であり、以下、負荷状態センサと呼ぶ）からの信号と、エンジン回転数センサ２５からの信号と、例えば第１通路１６におけるシリンダヘッド１２のウォータジャケット１４の冷却水出口近傍に配設された水温センサ２６からの信号とを入力して、これによりエンジンの状態を判定し、これに応じて電動ポンプ１９や開閉弁２０への出力電圧を制御するようになっている。
【００３６】
以上のように構成されたエンジン冷却装置Ａにおける冷却水の全体的な流れは、図３に模式的に示すようになる。同図は、開閉弁２０が閉じているときの流れを矢印で示し、電動ポンプ１９によってサブ通路１８に送られた冷却水は、タンク通路２１、ノズル通路２２を介して、シリンダヘッド１２のウォータジャケット１４に流入した後に、その排気側をシリンダ列方向に流れ、その後、第１通路１６を流通した後に、電動ポンプ１９の吸入側に戻される。つまり、開閉弁２０が閉じているときには、冷却水は、サブ通路１８、タンク通路２１、ノズル通路２２、ウォータジャケット１４、及び第１通路１６によって構成されるサブ回路を流通する。このとき、開閉弁２０が閉じていることから、ラジエータ１５との間では冷却水は流れない。尚、当然ながら、電動ポンプ１９が作動しなければ、上記のような冷却水の流れは起きず、対流による流れを除いて冷却水は略停止することになる。
【００３７】
一方、開閉弁２０が開いているときには、電動ポンプ１９からの冷却水の一部は、図４に矢印で示すように第１及び第２通路１６，１７を流通した後に、シリンダブロック１１及びシリンダヘッド１２のウォータジャケット１３，１４を流通し、その後、第１通路１６を流通した後に、電動ポンプ１９の吸入側に戻されるようになる。このとき、開閉弁２０が開いていることから、ラジエータ１５との間で冷却水は流れる。また、電動ポンプ１９からの冷却水の残りは、サブ通路１８、タンク通路２１、及びノズル通路２２を流通した後に、シリンダヘッド１２のウォータジャケット１４に流入し、ウォータジャケット１４をシリンダ列方向に流れるラジエータ１５からの冷却水と合流する。
【００３８】
−電動ポンプの作動制御−
次に、ＥＣＵ２３のポンプ制御部２３ａによる電動ポンプ１９の作動制御について説明する。この電動ポンプ１９への出力電圧の制御は、デューティ比の変更によって出力電圧の大きさを調整する所謂デューティ制御であり、制御デューティ比を０〜１００％の範囲で変更することにより、出力電圧を例えば０．５〜１２Ｖくらいの所定範囲内において略リニアに変更して、電動ポンプ１９の回転数をきめ細かく且つ高精度に制御することができる。
【００３９】
また、ポンプ制御部２３ａは、制御デューティ比を予め設定した時間間隔で切り替えて、電動ポンプ１９にパルス状に電圧を供給することにより、電動ポンプ１９を一定の周期で間欠的に作動させることができるようになっている。そして、そのように電動ポンプ１９を作動させるパルス制御モードと、上記のように、電動ポンプ１９を連続的に作動させながら、その回転数をエンジンの状態に応じて変更する通常制御モードとに切り替えて、電動ポンプ１９の作動状態を制御する。
【００４０】
より具体的に、ポンプ制御部２３ａは、エンジン暖機中であって、エンジン冷間始動から後述の設定時間ｔ１が経過するまでは、電動ポンプ１９を作動しない。
【００４１】
また、上記パルス制御モードは、エンジン暖機中であって、エンジン冷間始動から後述の設定時間ｔ１が経過した後に行われる。パルス制御モードは、電動ポンプ１９を相対的に低い頻度で間欠的に作動させる第１パルス制御モードと、サブ通路１８における冷却水の流通量が第１パルス制御モードにおいて電動ポンプ１９を間欠的に作動させたときの流通量よりも多くなるように電動ポンプ１９を相対的に高い頻度で間欠的に作動させる第２パルス制御モードとからなる。より詳細に、電動ポンプ１９の第２パルス制御モードでの運転時におけるその間欠的な作動時間及び停止時間は、それぞれ、電動ポンプ１９の第１パルス制御モードでの運転時におけるその間欠的な作動時間及び停止時間よりも長くなっており、また、第２パルス制御モードでの運転時におけるその間欠的な作動時の冷却水の流量は、第１パルス制御モードでの運転時におけるその間欠的な作動時の冷却水の流量よりも多くなっている。
【００４２】
第１パルス制御モードにおいて電動ポンプ１９を間欠作動させると、エンジン本体部１０内のウォータジャケット１４における冷却水の流通は平均的には殆ど停止に近い状態になり、暖機が促進されるとともに、シリンダ周辺、特にバルブブリッジ部１２ｄ近傍の冷却液の僅かな移動に伴い局所的な温度上昇を抑制して部分沸騰を防止することができる。
【００４３】
一方、第２パルス制御モードでは、上記第１パルス制御モードよりもサブ通路１８における冷却水の流量（時間平均的な流通量）が多くなるように電動ポンプ１９を相対的に高い頻度で間欠作動させる。この結果、エンジン本体部１０内のウォータジャケット１４において冷却水は、断続的ではあるがその移動量が増すようになる。
【００４４】
これに対し、上記通常制御モードは、エンジン暖機完了後に行われ、制御マップ（図示せず）に基づいて電動ポンプ１９の回転数を制御し、電動ポンプ１９を連続的に作動させることにより、サブ通路１８及び第２通路１７における冷却水の流通量が設定される。
−開閉弁の作動制御−
次に、ＥＣＵ２３の開閉弁制御部２３ｂによる開閉弁２０の作動制御について説明する。この開閉弁への出力電圧の制御は、デューティ比の変更によって出力電圧の大きさを調整する所謂デューティ制御であり、制御デューティ比を０〜１００％の範囲で変更することにより、開閉弁２０の開度をきめ細かく且つ高精度に制御することができる。
【００４５】
また、開閉弁制御部２３ｂは、制御デューティ比を予め設定した時間間隔で切り替えて、開閉弁２０にパルス状に電圧を供給することにより、開閉弁２０を一定の周期で間欠的に開弁させることができるようになっている。
【００４６】
より具体的に、開閉弁制御部２３ｂは、エンジン暖機中には、開閉弁２０を全閉させる全閉制御モードを実行する一方、エンジン暖機完了後には、エンジン回転数や負荷の状況に応じて、例えば第２通路１７における冷却水の流通量がサブ通路１８における冷却水の流通量よりも少なくなるように開閉弁２０を比較的低い頻度で間欠的に開弁させる間欠開閉制御モードや、その状況に応じて、任意の開度で連続的に開弁させる連続開弁制御モードなどを実行する。
【００４７】
−エンジン始動後の制御手順−
以下に、エンジンの始動後にＥＣＵ２３によって行われる電動ポンプ１９及び開閉弁２０の具体的な制御手順を、図１〜図５を参照して説明する。図５は、冷却水の流通状態の時間変化を示すタイムチャートであり、同図の実線は、サブ通路１８（サブ回路）における冷却水の流量の時間変化を、破線は、第２通路１７（メイン回路）における冷却水の流量の時間変化を示している。
【００４８】
まず、電動ポンプ１９を停止状態とするとともに、開閉弁２０を全閉状態とする。これにより、第２通路１７及びサブ通路１８において、すなわち、冷却水回路において冷却水の流通状態が流通停止状態になる。そして、水温センサ２６により検出した始動時のエンジン水温から冷間始動かどうか判定する。
【００４９】
その判定が冷間始動であれば、エンジン始動後に電動ポンプ１９の運転を開始するまでの設定時間ｔ１が経過したかどうか判定する。この設定時間ｔ１は、始動時のエンジン水温に対応する適値を予め実験等により決定して、例えばテーブルに設定しておき、このテーブルから読み込むようにすればよい。
【００５０】
設定時間ｔ１が経過していないならば、時間の経過を待つ間、電動ポンプ１９を停止状態に維持するとともに、開閉弁２０を全閉状態に維持する。これにより、エンジン本体部１０内のウォータジャケット１３，１４における冷却水の流通を停止して、その暖機を最大限に促進することができる。そして、冷間始動から設定時間ｔ１が経過すれば、開閉弁２０を全閉状態に維持したまま、電動ポンプ１９を第１パルス制御モードで運転する。
【００５１】
すなわち、まず、第１パルス制御モードにおける電動ポンプ１９の間欠作動の周期及びその作動時の制御デューティ比をそれぞれ予め設定したテーブルから読み込む。このテーブルは、例えば、エンジン水温に応じて電動ポンプ１９の作動周期及びデューティ比の適値をそれぞれ実験等に基づいて決定したものである。
【００５２】
そして、上記作動周期及びデューティ比に対応する制御信号により電動ポンプ１９のモータにパルス状に出力電圧を印加して、これを間欠的に作動させる。そうして電動ポンプ１９を間欠的に作動させると、サブ通路１８において、すなわち、サブ回路において冷却水の流通状態が第１流通状態になる。
【００５３】
各ノズル通路２２は各バルブブリッジ部１２ｄを指向しているため、上記のようにして電動ポンプ１９を作動させると、サブ通路１８及びタンク通路２１を介して各ノズル通路２２から少量ながら断続的に噴出した冷却水は、シリンダヘッド１２のウォータジャケット１４の各バルブブリッジ部１２ｄに向かって集中的に流入することになり、この冷却水によって各バルブブリッジ部１２ｄが冷却され、各バルブブリッジ部１２ｄにおける冷却水の部分沸騰が比較的低流量の冷却水で抑制されることになる。
【００５４】
また、上記のようにして電動ポンプ１９を作動させると、ウォータジャケット１４における冷却水は、電動ポンプ１９の連続的な作動時のように入口側から出口側に向かって連続的に移動するのではなく、瞬間的なポンプ作動によって小さく移動した後に直ちに停止することを繰り返すようになる。
【００５５】
言い換えると、上記第１パルス制御モードでは、電動ポンプ１９の間欠作動によって、エンジンの各シリンダ周辺、特に各バルブブリッジ部１２ｄ近傍の冷却液の僅かな移動に伴い局所的な温度上昇が抑制されて部分沸騰を防止するとともに、冷却水を停止させているときと同じようにエンジンの放熱量が少なくなって、エンジンの暖機が十分に促進されることになる。
【００５６】
さらに、各ノズル通路２２を流通した冷却水は、ウォータジャケット１４の排気側に流入した後に、ウォータジャケット１４の排気側をシリンダ列方向に流れることになり、このことによって、シリンダヘッド１４のウォータジャケット１４の吸気側において冷却水の流通が殆ど停止に近い状態になり、エンジンの暖機がより一層十分に促進されることになる。
【００５７】
次に、エンジン始動後に設定時間ｔ２が経過したかどうか判定する。この設定時間ｔ２も、エンジン水温に対応する適値を予め実験等により決定して、例えばテーブルに設定しておき、このテーブルから読み込むようにすればよい。
【００５８】
設定時間ｔ２が経過していないならば、時間の経過を待つ間、第１パルス制御モードでの運転を継続する。そして、冷間始動から設定時間ｔ２が経過すれば、開閉弁２０を全閉状態に維持したまま、電動ポンプ１９を第２パルス制御モードで運転する。すなわち、上記第１パルス制御モードと同様に電動ポンプ１９の間欠作動の周期及びそのデューティ比を制御して、電動ポンプ１９を間欠的に作動させる。
【００５９】
この第２パルス制御モードでは、サブ通路１８において、すなわち、サブ回路において冷却水の流通状態が上記第１流通状態よりも冷却水の流量が多い第２流通状態になる。そして、上述したようにウォータジャケット１４において冷却水が少量であっても断続性を保って流れるようになり、ウォータジャケット１４の冷却水が入れ替わる。
【００６０】
また、上記のようにして電動ポンプ１９を作動させると、各ノズル通路２２から噴出した冷却水は、各バルブブリッジ部１２ｄに向かって集中的に流入することになり、各バルブブリッジ部１２ｄにおける冷却水の部分沸騰が比較的低流量の冷却水で抑制されることになる。
【００６１】
さらに、各ノズル通路２２を流通した冷却水は、ウォータジャケット１４の排気側をシリンダ列方向に流れることになり、このことによって、シリンダヘッド１４のウォータジャケット１４の吸気側においては冷却水の流通が殆ど停止に近い状態が保たれており、エンジンの暖機が十分に促進されることになる。
【００６２】
その後、水温センサ２６による検出値が設定温度を越えれば、暖機完了と判定し、冷機時の制御は終了し、通常制御モードに移行する。この例では、エンジンの状態が低負荷低回転状態の場合を示し、サブ通路１８における冷却水の流量が、第２パルス制御モードにおいて電動ポンプ１９を間欠的に作動させたときの流量よりも多い流量に維持されるように電動ポンプ１９を連続的に運転するとともに、第２通路１７における冷却水の流量（時間平均的な流通量）がサブ通路１８における冷却水の流量よりも少なくなるように開閉弁２０を比較的低い頻度で間欠的に開弁させる。
【００６３】
そのようにして電動ポンプ１９を連続運転するとともに、開閉弁２０を間欠開閉状態、又は連続開弁状態にすると、エンジンの運転状態に拘わらず、各ノズル通路２２を流通した比較的高温の冷却水は、ウォータジャケット１４の排気側に流入するとともに、ラジエータ１５を流通した比較的低温の冷却水は、ウォータジャケット１４の流入するようになり、これらのことによって、ウォータジャケット１４の吸気側をその排気側に比べて低温の冷却水が流通し、この低温の冷却水によって吸気ポート１２ａ壁が冷却されることになる。これにより、充填効率が向上して、トルクが向上することになる。
【００６４】
また、上記のようにして電動ポンプ１９を作動させると、各ノズル通路２２から噴出した冷却水は、各バルブブリッジ部１２ｄに向かって集中的に流入することになり、各バルブブリッジ部１２ｄにおける冷却水の部分沸騰が比較的低流量の冷却水で抑制されることになる。
【００６５】
さらに、上記のようにして各バルブブリッジ部１２ｄが冷却されると、エンジンの負荷状態が高負荷状態のときに、点火時期が進角して、トルクがより一層向上することになる。
【００６６】
さらにまた、上述したように電動ポンプ１９及び開閉弁２０を作動させると、各ノズル通路２２を流通した比較的高温の冷却水は、シリンダヘッド１４のウォータジャケット１４に比較的多量に流入して、ウォータジャケット１４の冷却水温度は、比較的高温（例えば約１２０℃）に維持されることになり、エンジン燃費が向上されることになる。
【００６７】
−効果−
以上により、本実施形態によれば、ノズル通路２２がシリンダの排気ポート１２ｂ周辺の要冷却部を指向しているので、エンジン暖機中に、ＥＣＵ２３により、サブ通路１８において冷却水の流通状態が、順次、流通停止状態、第１流通状態、この第１流通状態よりも冷却水の流通量が多い第２流通状態になるように電動ポンプ１９を作動させると、サブ通路１８を介してノズル通路２２から流出した冷却水がシリンダヘッド１２のウォータジャケット１４の要冷却部に向かって集中的に流入し、この冷却水によって要冷却部が冷却される。このため、要冷却部における冷却水の部分沸騰を抑制することができる。
【００６８】
また、エンジン暖機中に、ＥＣＵ２３により、サブ通路１８において冷却水の流通状態が、順次、流通停止状態、第１流通状態、この第１流通状態よりも冷却水の流通量が多い第２流通状態になるように電動ポンプ１９を作動させる。このようにして、エンジン暖機中に、所定期間、シリンダヘッド１２のウォータジャケット１４における冷却水の流通を停止に近い状態にすることにより、エンジンの暖機を促進することができる。
【００６９】
さらに、エンジン暖機中に、ＥＣＵ２３により、メイン回路におけるラジエータ１５とエンジン本体部１０の冷却水入口との間の冷却水の流通状態が流通停止状態になるように開閉弁２０を作動させるので、エンジン暖機中に、エンジン本体部１０内の冷却水通路におけるシリンダヘッド１２のウォータジャケット１４においてその冷却水入口１４ａから出口への冷却水の新たな流通の流通を停止に近い状態にすることができる。このため、エンジンの暖機をより一層促進することができる。
【００７０】
以上により、シリンダヘッド１２のシリンダの排気ポート１２ｂ周辺の要冷却部における冷却水の部分沸騰を抑制しながら、エンジンの暖機を促進してエンジン燃費を向上させることができる。
【００７１】
ところで、シリンダに並設された２つの排気ポート１２ｂ，１２ｂの間のバルブブリッジ部１２ｄは、シリンダヘッド１２のウォータジャケット１４における冷却水のシリンダ列方向の流通だけでは冷却しにくく、このことによって、バルブブリッジ部１２ｄにおいて冷却水が部分沸騰しやすい。
【００７２】
ここで、本実施形態によれば、ノズル通路２２がバルブブリッジ部１２ｄを指向しているので、エンジン暖機中に、ＥＣＵ２３により、サブ通路１８において冷却水の流通状態が、順次、流通停止状態、第１流通状態、この第１流通状態よりも冷却水の流通量が多い第２流通状態になるように電動ポンプ１９を作動させると、ノズル通路２２から流出した冷却水がバルブブリッジ部１２ｄに向かって集中的に流入し、この冷却水によってバルブブリッジ部１２ｄが冷却される。このため、バルブブリッジ部１２ｄにおける冷却水の部分沸騰を抑制することができる。
【００７３】
また、エンジン暖機完了後に、ＥＣＵ２３により、メイン回路におけるラジエータ１５とエンジン本体部１０の冷却水入口との間及びサブ通路１８において冷却水が流通するように電動ポンプ１９及び開閉弁２０を作動させるので、ノズル通路２２を流通した比較的高温の冷却水がシリンダヘッド１２のウォータジャケット１４の排気側に流入するとともに、ラジエータ１５を流通した比較的低温の冷却水がシリンダヘッド１２のウォータジャケット１４に流入する。このため、エンジン暖機完了後は、シリンダヘッド１２のウォータジャケット１４の吸気側をその排気側に比べて低温の冷却水が流通し、この低温の冷却液によって吸気ポート１２ａ壁が冷却される。よって、充填効率を向上させることができ、トルクを向上させることができる。
【００７４】
（実施形態２）
本実施形態は、図６に示すように、第１通路１６におけるエンジン本体部１０の冷却水出口（シリンダヘッド１２のウォータジャケット１４の冷却水出口）とサブ通路１８との分岐部との間（より詳細に、第１通路１６におけるエンジン本体部１０の冷却水出口と電動ポンプ１９との間）に、エンジン本体部１０に供給されるエンジン潤滑用のオイルを第１通路１６を流通する冷却水と熱交換させるオイルクーラ２７（オイル熱交換器）を配設しているものである。その他の点に関しては、実施形態１とほぼ同様の構成である。
【００７５】
尚、エンジン暖機中及びエンジン暖機完了後にＥＣＵ２３によって行われる電動ポンプ１９及び開閉弁２０の制御手順は、実施形態１とほぼ同様の制御手順である。
【００７６】
−効果−
以上により、本実施形態によれば、メイン回路におけるシリンダヘッド１２のウォータジャケット１４の冷却水出口とサブ通路１８との分岐部との間に、エンジン本体部１０に供給されるオイルを冷却水と熱交換させるオイルクーラ２７を配設しているので、エンジン暖機中に、オイルクーラ２７においてオイルが限られた範囲でのみ循環する比較的高温の冷却水と熱交換することにより、オイルの昇温が早められる。このため、エンジンの機械抵抗を早めに低くすることができ、エンジン燃費をより一層向上させることができる。
【００７７】
尚、本実施形態では、オイルクーラ２７を第１通路１６におけるエンジン本体部１０の冷却水出口とサブ通路１８との分岐部との間に配設しているが、サブ通路１６に配設してもよい。
【００７８】
（実施形態３）
本実施形態は、図７に示すように、第１通路１６にオイルクーラ２７を迂回するバイパス通路２８を配設しているとともに、第１通路１６におけるオイルクーラ２７とバイパス通路２８との合流部との間に、冷却水の流通を遮断可能な遮断弁２９を配設しているものである。
【００７９】
遮断弁２９は、例えば従来周知のソレノイド式の開閉弁であり、その作動が、ＥＣＵ２３の遮断弁制御部２３ｃによって制御されるようになっている。
【００８０】
次に、遮断弁制御部２３ｃによる遮断弁２９の作動制御について説明する。遮断弁制御部２３ｃは、エンジン暖機中や、エンジン暖機完了後であって、エンジンの負荷状態が低負荷状態のときには、遮断弁２９を全開させる一方、例えば、エンジン暖機完了後であって、エンジンの負荷状態が低負荷状態から全負荷状態を含む高負荷状態になったときには、遮断弁２９を全閉させる。
【００８１】
その他の点に関しては、実施形態２とほぼ同様の構成である。
【００８２】
以下に、エンジン暖機完了後にＥＣＵ２３によって行われる電動ポンプ１９、開閉弁２０、及び遮断弁２９の具体的な制御手順を、図８を参照して説明する。尚、エンジン暖機中や、エンジン暖機完了後であって、エンジンの負荷状態が低負荷状態のときにＥＣＵ２３によって行われる電動ポンプ１９及び開閉弁２０の制御手順は、実施形態１とほぼ同様の制御手順である。
【００８３】
エンジン暖機完了後に、エンジンの負荷状態が低負荷状態から高負荷状態になれば、電動ポンプ１９の通常制御モードでの運転を継続したまま、低負荷状態のときよりも第２通路１７における冷却水の流量が多くなるように開閉弁２０を連続開弁状態になるように制御するとともに、遮断弁２９を全閉させる。これにより、冷却水は、オイルクーラ２７を流通するのではなく、オイルクーラ２７を迂回してバイパス通路２８を流通するようになる。このため、ラジエータ１５からの低温の冷却水の流量が多くなることによって、冷却水温度が全体として低下するが、冷却水は、オイルクーラ２７を流通しないので、オイルの温度を不用意に低下させることなく高温に維持することができる。尚、遮断弁２９は、バイパス通路２８の下流側合流部に第１通路１６との切換えを行う切換弁として設けてもよい。
【００８４】
（その他の実施形態）
上記各実施形態では、エンジンを直列４気筒エンジンで構成しているが、これに限らず、例えば、単気筒エンジンで構成してもよく、直列４気筒エンジン以外の直列複数気筒エンジンで構成してもよい。
【００８５】
また、上記各実施形態では、バルブブリッジ部１２ｄが要冷却部を構成しているが、冷却を要する排気ポート１２ｂ周辺の部分である限り、要冷却部はこれに限らない。
【００８６】
さらに、上記各実施形態では、開閉弁２０がメイン回路におけるラジエータ１５とエンジン本体部１０の冷却水入口との間の冷却水の流通状態を流通停止状態に変更可能な流通可変手段を構成しているが、これに限らず、例えば、電動ウォータポンプや電子制御式のサーモスタットが流通可変手段を構成してもよい。図９に示すように、電動ウォータポンプ３０が流通可変手段を構成する場合、電動ポンプ１９をサブ通路１８に配設し、サブ通路１８における冷却水の流量と第２通路１７における冷却水の流量とをそれぞれ制御するようにしてもよい。尚、図９では、ＥＣＵ２３の図示を省略している。
【００８７】
さらにまた、上記各実施形態では、暖機完了後は、低負荷低回転状態において、第２通路１７における冷却水の流量が開閉弁２０の間欠開閉制御によりサブ通路１８における冷却水の流量よりも少なくなるようにしているが、開閉弁２０を小開度で連続開弁制御してもよい。
【００８８】
本発明は、実施形態に限定されず、その精神又は主要な特徴から逸脱することなく他の色々な形で実施することができる。
【００８９】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【産業上の利用可能性】
【００９０】
以上説明したように、本発明にかかるエンジンの冷却装置は、シリンダヘッドの気筒の排気ポート周辺の要冷却部における冷却液の部分沸騰を抑制しながら、エンジンの暖機を促進してエンジン燃費を向上させることが必要な用途等に適用できる。
【図面の簡単な説明】
【００９１】
【図１】本発明の実施形態１に係るエンジン冷却装置の概略構成を示す模式図である。
【図２】実施形態１に係るシリンダヘッドをその上下方向と直角をなす平面に沿って切った断面図である。
【図３】実施形態１における開閉弁が閉じているときの冷却水の流れを示す模式図である。
【図４】実施形態１における開閉弁が開いているときの冷却水の流れを示す模式図である。
【図５】実施形態１における冷却水の流通状態の時間変化を示すタイムチャートである。
【図６】実施形態２に係るエンジン冷却装置の図１相当図である。
【図７】実施形態３に係るエンジン冷却装置の図１相当図である。
【図８】実施形態３における暖機完了後且つ低負荷状態のときの冷却水の流れを示す模式図である。
【図９】その他の実施形態に係るエンジン冷却装置の図１相当図である。
【符号の説明】
【００９２】
１０    エンジン本体部
１１    シリンダブロック
１２    シリンダヘッド
１２ｂ  排気ポート
１２ｄ  バルブブリッジ部
１３    ウォータジャケット（メイン回路）
１４    ウォータジャケット（ヘッド側ウォータジャケット、メイン回路）
１５    ラジエータ
１６    第１通路（メイン回路）
１７    第２通路（メイン回路）
１８    サブ通路（冷却液回路）
１９    電動ウォータポンプ
２０    開閉弁（流通可変手段）
２２    ノズル通路（冷却促進通路、冷却液回路）
２３    ＥＣＵ（制御手段）
２７    オイルクーラ（オイル熱交換器）
３０    電動ウォータポンプ（流通可変手段）
【図１】
2010151067.tif 000003
【図２】
2010151067.tif 000004
【図３】
2010151067.tif 000005
【図４】
2010151067.tif 000006
【図５】
2010151067.tif 000007
【図６】
2010151067.tif 000008
【図７】
2010151067.tif 000009
【図８】
2010151067.tif 000010
【図９】
2010151067.tif 000011